【事件の表示】
　平成　５年特許願第１９３２７１号「半導体装置」拒絶査定不服審判事件〔平成　７年　２月２１日出願公開、特開平　７−　４９６７８〕について、次のとおり審決する。
【結　論】
　本件審判の請求は、成り立たない。
【理　由】
 １．手続の経緯・本願発明 
 　本願は、平成５年８月４日に出願されたものであって、本願の請求項１〜９に係る発明は、平成１２年３月７日付け手続補正書、平成１４年５月２７日付け手続補正書、平成１５年５月９日付け手続補正書及び同年８月１日付け手続補正書により補正された明細書及び図面の記載からみて、特許請求の範囲の請求項１〜９に記載されたとおりのものであって、その請求項１に係る発明（以下、「本願発明」という。）は次のとおりのものと認める。 
 【本願発明】「同一半導体チップ上または同一パッケージ内に設けられた、液晶ディスプレイ駆動用の半導体装置であって、
　前記半導体装置の外部から９ビット以上のアドレスで定義される文字の文字コードが書き込まれるレジスタと、
　前記レジスタに書き込まれた文字コードを記憶する表示データＲＡＭと、
　前記９ビット以上のアドレスで定義される文字のドットフォントデータを記憶する文字フォント記憶手段と、
　アドレスカウンタと、
　液晶ディスプレイを駆動する駆動回路とを有し、
　前記アドレスカウンタから出力される第１アドレスによって前記表示データＲＡＭから文字コードが読み出され、前記表示データＲＡＭから読み出された文字コードを基に前記文字フォント記憶手段から対応するドットフォントデータを読み出し、
　前記文字フォント記憶手段から読み出されたドットフォントデータは、前記駆動回路に出力されることを特徴とする半導体装置。」
 　 
 ２．引用刊行物記載の発明 
　原査定の拒絶の理由に引用された特開昭６２−１９２７９２号公報（以下、「引用刊行物」という。）には、 
（Ａ−１）「［産業上の利用分野］この発明は、表示制御技術に関し、例えばドットマトリックス方式の液晶表示装置を制御駆動する液晶表示コントローラドライバに利用して有効な技術に関する。」（１頁右下欄６〜１０行）こと、
（Ａ−２)「［実施例］第１図には、本発明を液晶コントローラＬＳＩに適用した場合の一実施例が示されている。特に制限されないが、図中斜線Ａで囲まれた各回路ブロックは単結晶シリコン基板のような一個の半導体チップ上において形成される。・・・第１図において、回路符号ＩＲで示されているのは、入出力バッファＩＯＢを介して外部の図示しないマイクロプロセッサから液晶コントローラに供給される命令を保持するインストラクション・レジスタである。インストラクション・レジスタＩＲに保持された命令は、インストラクション・デコーダＩＤによってデコードされ、“書込み”・・・の命令に対応した内部制御信号を形成する。回路符号ＡＣで示されているのは、データ書込み時に書込み位置を示すアドレスが設定されるアドレス・カウンタである。このアドレス・カウンタＡＣには、インストラクション・デコーダＩＤを介して命令とセットされた書込みアドレスが設定されるようにされている。回路符号ＤＲで示されているのは、入出力バッファＩＯＢを介してマイクロプロセッサから供給される書込みデータ等を保持するデータ・レジスタである。このデータ・レジスタＤＲに保持されたデータは、内部バスＢＵＳを介して後述の表示データＲＡＭ・・・へ供給可能にされている。この実施例では、・・・共通のデータ入出力端子ＤＢ0〜ＤＢ3およびＤＢ4〜ＤＢ7を介して、マイクロプロセッサから供給される命令コードと書込みデータが、上記インストラクション・レジスタＩＲおよびデータ・レジスタＤＲに選択的にロードされる。・・・回路符号ＤＤ−ＲＡＭで示されているのは、図示しない液晶表示装置の表示パネルに表示される表示データを記憶する随時読出し書込み可能な表示データＲＡＭである。この表示データＲＡＭ（ＤＤ−ＲＡＭ）は、例えば８ビットのコードで示される文字が、８０文字記憶できるような容量を持つようにされている。・・・回路符号ＣＧ−ＲＯＭで示されているのは、上記表示データＲＡＭ（ＤＤ−ＲＡＭ）から読みだされた文字コードに対応した符号（文字パターン）を発生するためのパターン情報が記憶された読出し専用のキャラクタ・ジェネレータＲＯＭである。・・・上記キャラクタ・ジェネレータＲＯＭ（ＣＧ−ＲＯＭ）・・・は、上記表示データＲＡＭ（ＤＤ−ＲＡＭ）から読み出された文字コード及びタイミング発生回路ＴＧから供給されるコモン信号（表示パネルのコモン電極に印加される信号）と同期した列信号をデコードして選択信号を発生するアドレス・デコーダＡＤによってアクセスされる。上記キャラクタ・ジェネレータ・・・ＲＯＭ（以下、キャラクタ・ジェネレータ・メモリと総称する）ＣＧ−ＲＯＭ・・・から読み出された表示パターン・データは、ブリンク表示合成回路ＢＤＣへ供給される。・・・付加ビットに書き込みが行なわれていない場合・・・・ブリンク制御回路ＢＬＣからの制御信号によってブリンク表示合成回路ＢＤＣは、キャラクタ・ジェネレータ・メモリＣＧ−ＲＯＭ・・・から並列に読み出された文字パターン・データをそのまま、並直列変換回路ＰＳＣに送出する。文字パターン・データはここでシリアル・データに変換され、シフトレジスタＳＲ1に供給される。シフトレジスタＳＲ1は、並直列変換回��ＰＳＣから供給されるデータ・・・をまとめて・・・ラッチ回路ＬＴＣへ送る。ラッチ回路ＬＴＣに保持されたデータに基づいて、セグメント信号ドライバＳＳＤが液晶表示パネルのセグメント電極を駆動するセグメント信号ＳＥＧ1〜ＳＥＧ40を形成し、チップ外部へ出力する。」（２頁右下欄３行〜４頁左上欄１４行）こと、
（Ａ−３）「なお、回路符号ＴＧで示されているのは、タイミング発生回路で、このタイミング発生回路ＴＧは、・・・上記アドレス・デコーダＡＤに供給される列信号や前述したインストラクション・レジスタＩＲその他の回路ブロックに対する内部クロック信号を形成する。・・・また、タイミング発生回路ＴＧ内には常時アドレスカウント動作する表示カウンタが設けられ・・・、この表示カウンタのアドレスによって表示データＲＡＭ内の表示データを次々と読み出して表示を行なうようにされている。」（５頁右上欄３〜１７行）こと、
（Ａ−４）「なお、第１図の実施例では、上記タイミング発生回路ＴＧから出力されるクロック信号によってシフト動作される１６ビットのようなシフトレジスタＳＲ2と、このシフトレジスタＳＲ2の出力信号及び外部から供給される電源Ｖ1〜Ｖ5に基づいて、液晶表示装置に対する・・・コモン信号ＣＯＭ1〜ＣＯＭ16を出力するコモン信号ドライバＣＳＤが設けられている。」（５頁左下欄１８行〜右下欄６行）ことが記載されている。
　上記（Ａ−１）〜（Ａ−４）の記載を参照すると、上記引用刊行物には、
　「一個の半導体チップ上に形成された液晶コントローラＬＳＩであって、
　前記液晶コントローラＬＳＩの外部のマイクロプロセッサから入出力バッファＩＯＢを介して書込みデータ等を保持するデータレジスタＤＲと、
　前記データレジスタＤＲに保持された書込みデータが供給され、例えば８ビットの文字コードを記憶する読み出し書き込み可能な表示データＲＡＭ（ＤＤ−ＲＡＭ）と、
　前記表示データＲＡＭ（ＤＤ−ＲＡＭ）から読み出された文字コードに対応した文字パターン・データを発生するためのパターン情報が記憶されたキャラクタ・ジェネレータＲＯＭ（ＣＧ−ＲＯＭ）と、
　データ書込み時に書込み位置を示すアドレスが設定されるアドレスカウンタＡＣと、タイミング発生回路ＴＧ内に設けられアドレスにより前記表示データＲＡＭ（ＤＤ−ＲＡＭ）の文字コードを読み出す表示カウンタと、
　並直列変換回路ＰＳＣ、シフトレジスタＳＲ1、ラッチ回路ＬＴＣを介した前記キャラクタ・ジェネレータＲＯＭ（ＣＧ−ＲＯＭ）からの文字パターン・データを、液晶表示パネルのセグメント電極を駆動するためのセグメント信号ＳＥＧ1〜ＳＥＧ40として出力するセグメント信号ドライバＳＳＤと、液晶表示装置にコモン信号ＣＯＭ1〜ＣＯＭ16を出力するコモン信号ドライバＣＳＤとを有し、
　前記表示カウンタから出力されるアドレスによって前記表示データＲＡＭ（ＤＤ−ＲＡＭ）の文字コードが読み出され、前記表示データＲＡＭ（ＤＤ−ＲＡＭ）から読み出された文字コードに対応した文字パターン・データが前記キャラクタ・ジェネレータＲＯＭ（ＣＧ−ＲＯＭ）から読み出され、
　前記キャラクタ・ジェネレータＲＯＭ（ＣＧ−ＲＯＭ）から読み出された文字パターン・データは、並直列変換回路ＰＳＣ、シフトレジスタＳＲ1、ラッチ回路ＬＴＣを介してセグメント信号ドライバＳＳＤに出力されることを特徴とするドットマトリクス方式の液晶表示装置を制御駆動する液晶コントローラＬＳＩ。」の発明（以下、「引用発明」という。）が記載されている。
　　　　　　
３．対比・判断 
 （３ａ−１）本願発明と引用発明とを対比する。 
 　引用発明の「一個の半導体チップ上」、「液晶コントローラＬＳＩ」、「データレジスタＤＲ」、「表示データＲＡＭ（ＤＤ−ＲＡＭ）」、「アドレスカウンタＡＣ、表示カウンタ」、「セグメント信号ドライバＳＳＤ、コモン信号ドライバＣＳＤ」、「ＬＳＩ」は、それぞれ本願発明の「同一半導体チップ上」、「液晶ディスプレイ駆動用の半導体装置」、「レジスタ」、「表示データＲＡＭ」、「アドレスカウンタ」、「液晶ディスプレイを駆動する駆動回路」、「半導体装置」に相当する。 
 　また、引用発明の表示データＲＡＭ（ＤＤ−ＲＡＭ）はデータレジスタＤＲに保持された書込みデータが供給され、例えば８ビットの文字コードを記憶するものであるから、引用発明の「データレジスタＤＲ」には、例えば８ビットのアドレスで定義される文字コードが書き込まれ、書き込まれた文字コードが表示データＲＡＭ（ＤＤ−ＲＡＭ）に書き込まれることは明らかである。
　さらに、引用発明のキャラクタ・ジェネレータＲＯＭ（ＣＧ−ＲＯＭ）は表示データＲＡＭ（ＤＤ−ＲＡＭ）から読み出された文字コードに対応した文字パターンを発生するものであり、表示データＲＡＭ（ＤＤ−ＲＡＭ）は、例えば８ビットの文字コードであるから、引用発明のキャラクタ・ジェネレータＲＯＭ（ＣＧ−ＲＯＭ）は、例えば８ビットのアドレスで定義される文字パターン・データ、すなわち文字の形状を特定する文字フォント・データを発生するためのパターン情報を記憶していることになる。そして、このキャラクタ・ジェネレータＲＯＭ（ＣＧ−ＲＯＭ）から読み出された文字パターン・データが文字としてドットマトリクス方式の液晶表示装置で表示されることから、引用発明の「キャラクタ・ジェネレータＲＯＭ（ＣＧ−ＲＯＭ）」は本願発明の「アドレスで定義される文字のドットフォントデータを記憶する文字フォント記憶手段」に相当する。
　そして、また、引用発明の「表示カウンタ」からのアドレスにより表示データＲＡＭ（ＤＤ−ＲＡＭ）の文字コードが読み出されているから、引用発明の「表示カウンタからのアドレス」が本願発明の「第１アドレス」に相当し、さらにキャラクタ・ジェネレータＲＯＭ（ＣＧ−ＲＯＭ）から読み出された文字パターン・データが、並直列変換回路ＰＳＣ、シフトレジスタＳＲ1、ラッチ回路ＬＴＣを介してセグメント信号ドライバＳＳＤに出力されることから、引用発明も本願発明と同様に「アドレスカウンタから出力される第１アドレスによって表示データＲＡＭから文字コードが読み出され、前記表示データＲＡＭから読み出された文字コードを基に前記文字フォント記憶手段から対応するドットフォントデータを読み出し、前記文字フォント記憶手段から読み出されたドットフォントデータは、前記駆動回路に出力される」ものである。
 　そうすると、本願発明と引用発明とは、 
「同一半導体チップ上に設けられた、液晶ディスプレイ駆動用の半導体装置であって、
　前記半導体装置の外部からのアドレスで定義される文字の文字コードが書き込まれるレジスタと、
　前記レジスタに書き込まれた文字コードを記憶する表示データＲＡＭと、
　前記アドレスで定義される文字のドットフォントデータを記憶する文字フォント記憶手段と、
　アドレスカウンタと、
　液晶ディスプレイを駆動する駆動回路とを有し、
　前記アドレスカウンタから出力される第１アドレスによって前記表示データＲＡＭから文字コードが読み出され、前記表示データＲＡＭから読み出された文字コードを基に前記文字フォント記憶手段から対応するドットフォントデータを読み出し、
　前記文字フォント記憶手段から読み出されたドットフォントデータは、前記駆動回路に出力されることを特徴とする半導体装置。」である点で一致し、次の相違点（ア）で相違している。
・相違点（ア）
　半導体装置の外部からレジスタに書き込まれる文字の文字コード及び文字記憶手段に記憶される文字のドットデータが本願発明では「９ビット以上」のアドレスで定義されるのに対して、引用発明では、「例えば８ビット」のアドレスで定義される点。
　　　
 （３ａ−２）当審の判断 
 　そこで、上記相違点（ア）について判断する。
　液晶コントローラＬＳＩを用いて液晶表示装置で表示する文字は当業者が液晶コントローラＬＳＩを構成する際に必要に応じて適宜選択するものであり、さらに、選択した文字が液晶表示装置に表示できるように液晶コントローラＬＳＩを構成することは当然の設計的事項である。 そして、液晶表示装置において９ビット以上の１６ビットでアクセスされる漢字等を表示することは周知（例えば、特開昭６３−２４０５９１号公報の２頁左上欄１３〜１４行、同頁右上欄１２〜１４行、同頁右上欄１９行〜左下欄６行、同頁右下欄１〜１２行の記載参照）であり、さらに、引用発明の液晶コントローラの外部からデータレジスタＤＲに書き込まれる書込みデータやキャラクタ・ジェネレータＲＯＭ（ＣＧ−ＲＯＭ）から発生する文字パターン・データは、例えば８ビットと例示され、８ビットのみに限定されたものではないことを考慮すると、引用発明においても、液晶コントローラの外部からデータレジスタＤＲに書き込まれる書込みデータやキャラクタ・ジェネレータＲＯＭ（ＣＧ−ＲＯＭ）から発生する文字パターン・データを例えば８ビットで定義されるアドレスの文字コードや文字パターンデータとする代わりに、漢字等の９ビット以上の１６ビットでアクセスされるデータとすること、すなわち半導体装置の外部からレジスタに書き込まれる文字の文字コード及び文字フォント記憶手段に記憶される文字のドットフォントデータが「９ビット以上」のアドレスで定義されるように構成することは当業者が容易になし得るものである。
　そして、本願発明によってもたらされる効果は、上記引用発明及び周知の技術事項から予測される範囲内のものであって、格別のものではない。 
　したがって、本願発明は、引用発明及び周知の技術事項に基づいて当業者が容易に発明をすることができたものである。
　　 
 ４．むすび 
　以上のとおりであるから、本願発明は、特許法第２９条第２項の規定により特許を受けることができない。 
　よって、結論のとおり審決する。